(57)【要約】【課題】かしめ作業の施工性が向上し、十分な強度でかしめることができる同軸ケーブルかしめリングを提供する。【解決手段】同軸用のコネクタである同軸接栓７に接続された同軸ケーブル６の端部を同軸接栓７にかしめて固定する同軸ケーブルかしめリング１であって、一部に径方向内方にへこんだ凹状部４が設けられ、内周が略円弧形状でリング状のリング本体部３と、凹状部４の両側に設けられ、リング本体部３の外周面から径方向外方に突出した一対の突起５，５と、を備えている。【選択図】  図１
2006294408.tif 000002
【特許請求の範囲】
【請求項１】
同軸用のコネクタである同軸接栓に接続された同軸ケーブルの端部を同軸接栓にかしめて固定する同軸ケーブルかしめリングであって、
一部に径方向内方にへこんだ凹状部が設けられ、内周が略円弧形状でリング状のリング本体部と、
前記凹状部の両側に設けられ、リング本体部の外周面から径方向外方に突出した一対の突起と、を備えたことを特徴とする同軸ケーブルかしめリング。
【請求項２】
前記一対の突起に、該突起に当接される工具を係合させる凹凸部を設けたことを特徴とする請求項１記載の同軸ケーブルかしめリング。
【発明の詳細な説明】
【技術分野】
【０００１】
本発明は同軸接栓と同軸ケーブルとの接続時に、圧締作業により同軸接栓と同軸ケーブルとを固定する同軸ケーブルかしめリングに関するものである。
【背景技術】
【０００２】
従来、同軸ケーブルと同軸接栓とを接続する場合、同軸ケーブルと同軸接栓との接続部を固定するために図５に示すようなかしめリングが知られている。すなわち、内周が略円形状のかしめリング１１であって、内周の一部からリング本体外方に向かって略三角形状に突出した突出部１２が設けられているものである。
【０００３】
このかしめリング１１のかしめ方法としては、まず、あらかじめ同軸ケーブルにかしめリング１１を挿通させておく。次いで、同軸ケーブルと同軸接栓とを接続し、その接続部をかしめリング１１で圧締し、同軸ケーブルと同軸接栓とを固定する。かしめリング１１の圧締作業は、かしめリング１１の略三角形状の突出部１２をペンチ等でかしめる作業を行い、かしめリング１１の内周が絞り込まれる状態になり、同軸ケーブルと同軸接栓とが圧接される。
【特許文献１】特開２００４−５５４７５号公報
【発明の開示】
【発明が解決しようとする課題】
【０００４】
しかし、従来のかしめリングには次のような課題がある。すなわち、かしめリングをかしめていくと、かしめリングの内周が絞られていき、突出部の内側で同軸ケーブルの外皮等を挟んだままかしめられてしまうことがある。同軸ケーブルの外皮等はゴム状の軟質な材料で形成されているため、かしめリングにおける外皮等が挟まれた部分は、十分に強固にかしめることができなくなっていた。
【０００５】
本発明は上記課題に鑑みてなしたもので、その目的は、かしめ作業の施工性が向上し、十分な強度でかしめることができる同軸ケーブルかしめリングを提供することにある。
【課題を解決するための手段】
【０００６】
請求項１に係る発明の同軸ケーブルかしめリングは、同軸用のコネクタである同軸接栓に接続された同軸ケーブルの端部を同軸接栓にかしめて固定する同軸ケーブルかしめリングであって、一部に径方向内方にへこんだ凹状部が設けられ、内周が略円弧形状でリング状のリング本体部と、凹状部の両側に設けられ、リング本体部の外周面から径方向外方に突出した一対の突起と、を備えたことを特徴とするものである。
【０００７】
請求項２に係る発明の同軸ケーブルかしめリングは、請求項１記載の同軸ケーブルかしめリングにおいて、一対の突起に、該突起に当接される工具とを係合させる凹凸部を設けたことを特徴とするものである。
【発明の効果】
【０００８】
請求項１に係る発明の同軸ケーブルかしめリングによれば、一部に径方向内方にへこんだ凹状部が設けられ、内周が略円弧形状でリング状のリング本体部と、凹状部の両側に設けられ、リング本体部の外周面から径方向外方に突出した一対の突起と、を備えている。この同軸ケーブルかしめリングは、リング本体部に同軸ケーブルを挿通し、同軸ケーブルと同軸接栓との接続部に配設させ、一対の突起にペンチ等の工具を当接させてかしめられる。この時、同軸ケーブルかしめリングに挿通された同軸ケーブルは、リング本体部と、凹状部におけるリング本体部内周側に突出した頂点及びその近傍とによって固定されることになる。つまり、同軸ケーブルの外皮には、リング本体部内周面と接しない部分が発生していることになる。
【０００９】
従って、従来のかしめリングのように、リング本体部で同軸ケーブルの外皮を挟んでかしめ強度が低下してしまうことを防ぐことができて、十分なかしめ強度で同軸ケーブルをかしめることができる。また、同軸ケーブルの外皮を挟んでしまい、余計なかしめ力で同軸ケーブルを締め付けて、同軸ケーブルが破損してしまうという恐れを防止できる。
【００１０】
請求項２に係る発明の同軸ケーブルかしめリングによれば、請求項１記載の同軸ケーブルかしめリングの効果に加えて、一対の突起に、該突起に当接される工具とを係合させる凹凸部を設けているので、工具が突起に引っ掛り易くなり、小さな握力でも施工し易くなる。
【発明を実施するための最良の形態】
【００１１】
以下、図１〜図５に基づいて本発明の同軸ケーブルかしめリングの実施形態について説明する。
【００１２】
まず、本発明の第１の実施形態について説明する。図１は、本発明の同軸ケーブルかしめリングを示した正面図である。同軸ケーブルかしめリング１は、アルミニウム製のリング部材２で形成されたリング状のものであり、リング本体部３と凹状部４と一対の突起５，５とから成り立っている。
【００１３】
リング本体部３は、内周が略円弧形状であって、後述する同軸ケーブルが挿通される。また、リング本体部３の一部分からは、本発明の特徴である、リング本体部３の内径方向に向かってへこんだ凹状部４が設けられている。本実施形態では、リング本体部３の内周の一部が途切れて、そこからリング本体部３の径方向内方に略Ｕ字形状の凹状部４が設けられている。つまり、リング本体部３の第１境界３ａと第２境界３ｂとを屈曲点としてリング部材２がリング本体部３の径方向内方に延設されて凹状部４を形成している。また、凹状部４は、リング本体部３の径方向内方に突出した最端部である頂点４ａを有している。
【００１４】
リング本体部３と凹状部４との境界部分にあたる第１境界３ａと第２境界３ｂからは、リング本体部３の外周面から径方向外方にそれぞれ一対の突起５，５が設けられている。
【００１５】
本実施形態のように、第１境界３ａと第２境界３ｂとからリング本体部３の径方向外方に突起５，５が設けられていることにより、凹状部４の略Ｕ字形状の両端がリング本体部３の外方まで延設されたとみなすこともできる。すなわち、実際に同軸ケーブルかしめリング１を製造する場合には、凹状部４と一対の突起５，５とを一体に略Ｕ字形状のものとして形成し、一部に開口部を有したリング本体部３に、凹状部４と突起５，５との一体形成品の略Ｕ字形状の底面がリング本体部３の内方に位置し、且つ、リング本体部３の外方に一体形成品の略Ｕ字形状の両端が飛び出るように接続することになる。
【００１６】
本実施形態では、一対の突起５，５は第１境界３ａと第２境界３ｂとからリング本体部３径方向外方に設けられているが、リング本体部３外周面から凹状部４を挟むようにして、凹状部４の両側からそれぞれ径方向外方に延設され、ペンチ等の工具９でかしめることができるように配設されていれば、その配設場所の如何は問わない。
【００１７】
次に、図２を用いて本発明の同軸ケーブルかしめリング１を同軸ケーブル６にかしめる方法について説明する。図２（ａ）は、同軸ケーブル６と同軸接栓７との接続前を示した工程図であり、（ｂ）は、同軸ケーブル６と同軸接栓７との接続後を示した工程図である。
【００１８】
同軸ケーブル６は、同軸接栓７と接続される。図２（ａ）に示すように、同軸ケーブル６にあらかじめ、同軸ケーブルかしめリング１を挿通しておき、その状態のまま同軸ケーブル６と同軸接栓７とが嵌め合わされ、接続される。次いで、図２（ｂ）に示すように、同軸ケーブル６に挿通されている同軸ケーブルかしめリング１を同軸ケーブル６と同軸接栓７との接続部８にずらして配設させる。次いで、同軸ケーブルかしめリング１の一対の突起５，５をペンチ等の工具９によってかしめて圧接する。
【００１９】
図３は、ペンチ９で同軸ケーブルかしめリング１をかしめた後の正面図である。一対の突起５，５をペンチ９で挟み、かしめていくことにより、まず、突起５，５がかしめられる。すると、それに連動してＵ字形状のリング本体部３の径方向内方に突出した凹状部４の頂点４ａ近傍がよりリング本体部３の径方向内方に移動しようとする。そのままかしめていくと、頂点４ａ近傍がリング本体部３に挿通されている同軸ケーブル６と同軸接栓７との接続部８に当接する。このように、同軸ケーブル６は、リング本体部３内面と接しない部分が発生し、リング本体部３の内面と、凹状部４の頂点４ａ近傍とで圧迫されたまま固定されて、同軸ケーブルかしめリング１がかしめられる。
【００２０】
本実施形態の同軸ケーブルかしめリング１によれば、同軸ケーブルかしめリング１は、リング本体部３に同軸ケーブル６を挿通し、一対の突起５，５にペンチ等の工具９を当接させてかしめられる。この時、同軸ケーブルかしめリング１に挿通された同軸ケーブル６は、リング本体部３と、凹状部４におけるリング本体部３内周側に突出した頂点４ａ近傍とによって固定されることになる。つまり、同軸ケーブル６の外皮には、リング本体部３内周面と接しない部分が発生していることになる。
【００２１】
従って、従来のかしめリングのように、リング本体部３で同軸ケーブル６の外皮を挟んでかしめ強度が低下してしまうことを防ぐことができて、十分なかしめ強度で同軸ケーブル６をかしめることができる。また、同軸ケーブル６の外皮を挟んでしまった結果、余計なかしめ力で同軸ケーブル６を締め付けることになり、同軸ケーブル６が破損してしまうといったことを防止できる。
【００２２】
次に、本発明の第２の実施形態について、図４を用いて説明する。なお第１の実施形態と同じ箇所には同符号を付してあり、同等の箇所の詳細な説明は省略する。
【００２３】
本実施形態の同軸ケーブルかしめリング１は、第１の実施形態の同軸ケーブルかしめリング１の一対の突起５，５に凹凸部５ａが設けられているものである。本実施形態では、凹凸部５ａは山谷形状を有し、突起５の外側面に高さ方向に亘って設けられている。
【００２４】
この凹凸部５ａは、ペンチ等の工具９との接触部分との引掛りをよくし、突起５をかしめ易くするためのものであるから、工具９のつかみ部の凹凸と引っ掛るように設けられていれば、その形状の如何は問わない。また、突起５，５の外側面に設けられていれば、その配設場所は問わない。
【００２５】
従って、本実施形態の同軸ケーブルかしめリング１によれば、第１の実施形態の効果に加えて、一対の突起５，５に、該突起５，５に当接される工具９とを係合させる凹凸部５ａを設けているので、工具９が突起５，５に引っ掛り易くなり、小さな握力でも施工し易くなる。
【図面の簡単な説明】
【００２６】
【図１】本発明の同軸ケーブルかしめリング１を示した正面図である。
【図２】（ａ）は、同上の使用方法を示した図であって、同軸ケーブル６と同軸接栓７との接続前を示した工程図であり、（ｂ）は、同上の使用方法を示した図であって、同軸ケーブル６と同軸接栓７との接続後を示した工程図である。
【図３】同上のかしめ作業を示した正面図である。
【図４】同上の第２の実施形態を示した正面図である。
【図５】従来のかしめリング１１を示した正面図である。
【符号の説明】
【００２７】
１    同軸ケーブルかしめリング
２    リング部材
３    リング本体部
３ａ  第１境界
３ｂ  第２境界
４    凹状部
４ａ  頂点
５    突起
５ａ  凹凸部
６    同軸ケーブル
７    同軸接栓
８    接続部
９    工具（ペンチ）
【図１】
2006294408.tif 000003
【図２】
2006294408.tif 000004
【図３】
2006294408.tif 000005
【図４】
2006294408.tif 000006
【図５】
2006294408.tif 000007